(57)【要約】      （修正有）【課題】エアスタンプハンマー類の鍛造機に使用されるピストンロッドに加えられる衝撃の低減を図り、該ピストンロッドの長寿命化を図ることにより鍛造加工による成型品の加工単価の低減を図るラムブッシュを提供する。【解決手段】鍛造機またはエアスタンプハンマー類に使用する略円筒形状のラムブッシュ３０であって、当該ラムブッシュは、ピストンロッドと、上型と下部で接するラムとの間に使用され、前記ピストンロッドと接する前記ラムブッシュの内面に、複数の溝部４０，４１を有し、当該複数の溝部に囲まれることで形成された島状部５０を有することを特徴とするラムブッシュ。【選択図】図１
0003155321.tif 000002
【実用新案登録請求の範囲】
【請求項１】
鍛造機またはエアスタンプハンマー類に使用する略円筒形状のラムブッシュであって、当該ラムブッシュは、ピストンロッドと、上型と下部で接するラムとの間に配置され、前記ピストンロッドと接する前記ラムブッシュの内面に、複数の溝部を有し、当該複数の溝部に囲まれることで形成された島状部を有することを特徴とするラムブッシュ。
【請求項２】
前記複数の溝部は、少なくとも前記ほぼ円筒形状のラムブッシュの上部開口部から下部開口部に向う平面視時計回りの螺旋状と、前記ほぼ円筒形状のラムブッシュの上部開口部から下部開口部に向う平面視反時計回りの螺旋状とからなることを特徴とした請求項１記載のラムブッシュ。
【請求項３】
前記複数の溝部は、前記上部開口部を平面視円形状と見立てた場合に、その円形状の中心角を約６０度ずつに分割される当該円形状である前記上部開口部の円周上の個所から、下部開口部に向かって平面視時計回りの螺旋状であり、かつ、前記上部開口部を平面視円形状と見立てた場合に、その円の中心角を約６０度ずつに分割される当該円形状である前記上部開口部の円周上の個所から、下部開口部に向かって平面視反時計回りの螺旋状であることを特徴とした請求項２記載のラムブッシュ。
【請求項４】
前記複数の溝部は、ラムブッシュにおける複数の溝部は、少なくとも前記ほぼ円筒形のラムブッシュの上部開口部から下部開口部面までほぼ垂直下方に向う縦溝部と、前記ほぼ円筒形のラムブッシュの上部開口部とほぼ平行に周回する横溝部からなることを特徴とした請求項１記載のラムブッシュ。
【請求項５】
前記複数の溝部は、前記ほぼ円筒形のラムブッシュの上部開口部を平面視円形状と見立てた場合に、その円の中心角を約４５度ずつに分割される当該円形状である前記上部開口部の円周上の個所から下部開口部までほぼ垂直下方に向かうものであって、かつ、前記ほぼ円筒形のラムブッシュの内周面をほぼ円筒形のラムブッシュの上部開口部とほぼ平行に周回する横溝部からなることを特徴とした請求項４記載のラムブッシュ。
【考案の詳細な説明】
【技術分野】
【０００１】
本考案は、鍛造機またはエアスタンプハンマーに使用されるラムブッシュに関するものである。
【背景技術】
【０００２】
鍛造機またはエアスタンプハンマーのうち、当該エアスタンプハンマーの一般的な構成は、基台上の左右にそれぞれのフレームが立設され、それらの上部にはシリンダーブロックが取り付けられている。そのシリンダーブロック内にピストンが配置され、該ピストンにピストンロッドが接続されている。前記ピストンロッドの下方において、ラムブッシュを介してラムと接続されている。更にラムの下方には鍛造用上型が接続され、該上型と下型の間に熱した被成形物が配置される。
【０００３】
上記構成のエアスタンプハンマーにおいて、エアコンプレッサーから供給された圧縮空気を吸排気することにより、前記ピストンが上昇し、それに伴い前記ピストンロッド及びラムブッシュを介して接続されたラムが上昇した後に、前記ピストンロッドと共に前記ラムが落下する。前記上型と下型の間に位置する高温に熱せられた金属素材である被成形物が、前記上型及び下型により所定の形状に塑性変形し、いわゆる鍛造加工を行うことができる。
【０００４】
このようにいわゆる熱間鍛造における被加工物は高温に熱せられるため、冷間鍛造における被加工物と比較して変形抵抗が少ないものの、金属を塑性変形させるためには一定の荷重を何度も加えなければならない。このように荷重を加える回数が多くなると、その荷重による金属疲労その他の理由によりピストンロッドが破損していた。
【０００５】
従来はそのように、ある一定の成形回数とともに発生するピストンロッドの破損は予定され、ある一定の成形回数に達するか、あるいはピストンロッドが破損するたびに前記ピストンロッドを交換していた。
【０００６】
しかしながら、上記ピストンロッドは高価であり、そのピストンロッドが前記鍛造機に取り付けられ破損するまでの間に成形された部品等の被成形物の数量で前記ピストンの価格を除法した価格を部品等の被成形物の単価に上乗するため、鍛造部品の成型単価が比較的高額となる問題があった。
【考案の開示】
【考案が解決しようとする課題】
【０００７】
本考案は前記の点に着目して考案されたものであり、エアスタンプハンマー類の鍛造機に使用されるピストンロッドに加えられる衝撃の低減を図り、該ピストンロッドの長寿命化を図ることにより鍛造加工による成型品の加工単価の低減を図ることを課題とする。
【課題を解決するための手段】
【０００８】
本考案について、鍛造機またはエアスタンプハンマー類に使用するほぼ円筒形状のラムブッシュであって、当該ラムブッシュは、ピストンロッドと、上型と下部で接するラムとの間に配置され、前記ピストンロッドと接する前記ラムブッシュの内面に、複数の溝部を有し、当該複数の溝部に囲まれることで形成された島状部を有することを特徴とするラムブッシュである。このようにラムブッシュの内面に島状部が形成されることで、鍛造加工によりラムからピストンロッドに伝わる衝撃を逃がすことができるので、ピストンロッドが破損しにくくなり長寿命化した。ここで、ほぼ円筒形状としたのは、ラムブッシュの内面が断面テーパー状を呈する場合を含むものだからである。又、複数の溝部としたのは、 島状部を形成するためであり、溝部が例えば一筆書きの様なものであっても、当該溝部に囲まれることによって島状部を形成することができれば、この場合も複数の溝部に含まれるものである。
【０００９】
本考案について、前記複数の溝部は、少なくとも前記ほぼ円筒形状のラムブッシュの上部開口部から下部開口部に向う平面視時計回りの螺旋状と、前記ほぼ円筒形状のラムブッシュの上部開口部から下部開口部に向う平面視反時計回りの螺旋状とからなることを特徴とした前記記載のラムブッシュである。
【００１０】
本考案について、前記複数の溝部は、前記上部開口部を平面視円形状と見立てた場合に、その円形状の中心角を約６０度ずつに分割される当該円形状の円周上である前記上部開口部の個所から、下部開口部に向かって平面視時計回りの螺旋状であり、かつ、前記上部開口部を平面視円形状と見立てた場合に、その円の中心角を約６０度ずつに分割される当該円形状の円周上である前記上部開口部の個所から、下部開口部に向かって平面視反時計回りの螺旋状であることを特徴とした前記記載のラムブッシュである。この場合、平面視時計回りの螺旋状の溝部と平面視反時計回りの螺旋状の溝部が、前記上部開口部を平面視円形状と見立てた場合に、その円形状の中心角を約６０度ずつに分割される当該円形状の円周上である前記上部開口部の個所から、溝部を配置することができるが、その円形状の中心角を約６０度ずつに分割される当該円形状の円周上である前記上部開口部の個所が同一の個所であっても、それぞれ異なる個所であっても良い。
【００１１】
本考案について、前記複数の溝部は、ラムブッシュにおける複数の溝部は、少なくとも前記ほぼ円筒形のラムブッシュの上部開口部から下部開口部面までほぼ垂直下方に向う縦溝部と、前記ほぼ円筒形のラムブッシュの上部開口部とほぼ平行に周回する横溝部からなることを特徴とした前記記載のラムブッシュである。ここで、ほぼ垂直としたのは、ラムブッシュにおける上部開口部と下部開口部の口径は上部開口部の口径が若干大きい断面テーパー状を呈している場合を含むものだからである。
【００１２】
本考案について、前記複数の溝部は、前記ほぼ円筒形のラムブッシュの上部開口部を平面視円形状と見立てた場合に、その円形状の中心角を約４５度ずつに分割される当該円形状である前記上部開口部の円周上の個所から下部開口部までほぼ垂直下方に向かうものであって、かつ、前記ほぼ円筒形のラムブッシュの内周面をほぼ円筒形のラムブッシュの上部開口部とほぼ平行に周回する横溝部からなることを特徴とした前記記載のラムブッシュである。ここで横溝部は複数であっても良い。
【考案の効果】
【００１３】
ほぼ円筒形のラムブッシュの内面に島状部が形成されることにより、ピストンロッドをラムブッシュに挿入した場合に当該島状部と前記ピストンロッドが接触する。この状態において、鍛造機を作動させピストンロッドに荷重を加えると衝撃がラムブッシュに伝わるものの当該島状部がその荷重による衝撃からくる振動を分散させることにより、ピストンロッドに伝わる衝撃を弱め、金属疲労を低減し、ピストンロッドの寿命を延命させることができる。
【考案を実施するための最良の形態】
【００１４】
以下の本考案を実施するための実施の形態を図面に基づいて説明する。図１は、ラムブッシュの斜視図である。図２は、ラムブッシュの平面図である。図３は、図２のＩＩＩ−ＩＩＩ線断面図である。図４は、他の実施例のラムブッシュの平面図である。図５は、図４のＶ−Ｖ線断面図である。図６は、ピストンとラムブッシュの組立て図である。図７は、エアスタンプハンマーの正面図である。
【００１５】
本考案は鍛造機またはエアスタンプハンマーに使用されるラムブッシュであるが、ここで、一般的なエアスタンプハンマー１の概要について説明する。まず、アンビルと呼ばれる基部１０の上であって、その左右両脇にフレーム１２、１２が立設される。その左右両側のフレーム１２、１２の上であって、当該左右両側のフレーム１２、１２に懸け渡されるようにシリンダー部１５を内包するブロック部１３が載置される。したがって基部１０、フレーム１２、１２、ブロック部１３で空所１４を取り囲むように構成される。
【００１６】
前記ブロック部１３に内包されるシリンダー部１５は、基台１０のほぼ左右中央であってその上部に位置し、そのシリンダー部１５にはピストン６が配置され、その下部にはピストンロッド１７が取り付けられている。更にそのピストンロッド１７にはラムブッシュ３０あるいはラムブッシュ６０を介してラム１９が取り付けられており、当該ラム１９には上型２０が取り付けられている。すでに述べた空所１４には、上記ピストンロッド１７、ラムブッシュ３０あるいはラムブッシュ６０、ラム１９、上型２０が配置されている。
【００１７】
ラム１９は前記フレーム１２、１２のほぼ中央に配置されており、前記左右各フレーム１２、１２において、それぞれのフレーム１２、１２に対向するようにスライド部１８、１８が設けられており、その左右のフレーム１２、１２に設けられたスライド部１８、１８の間において、ラム１９が摺動することができる。また下型２１は、前記基台１０上において、下型２１を固定するソーブロック２２を介して取り付けられる。
【００１８】
上記構造を有するエアスタンプハンマー１において、作業者がペダル２３を踏み込むと、吸入口１６から圧縮空気が流入し、前記ピストン６の上部に作用することで、当該ピストン６が落下し、それに接続されているピストンロッド１７、ラム１９および上型２０が落下する。すでに述べたとおりフレーム１２、１２に対向するようにスライド部１８、１８が設けられているので、ラム１９は前記スライド部１８、１８に規制され正確に下型２１に対して落下することができる。
【００１９】
このような場合に既に、上型２０と下型２１の間に熱せられた金属塊Ｗが配置されているので前記ラム１９の落下による衝撃によって、当該金属塊Ｗは塑性変形し、上型２０および下型２１に倣った形状に成型することができる。
【００２０】
ピストンロッド１７とラム１９の間にラムブッシュ３０または６０が配置されていることについてはすでに述べたとおりである。しかしながら被成形物である金属塊Ｗを上型２０と下型２１において塑性変形させるためにはある一定の荷重をかけることが必要であるが、多数回にわたる成型加工を行うと、ラムブッシュ３０またはラムブッシュ６０を介して接続されているピストンロッド１７が破損してしまう。
【００２１】
そこで、実施例においては、ラムブッシュ３０に複数の溝部４０、４１を設ける。このように複数の溝部４０、４１をラムブッシュ３０の内面に設けることによって島状部５０が形成される。すなわち、当該内面に溝部４０、４１がないとした場合における円筒形のラムブッシュ３０の本来の円筒内面が、複数の溝部４０、４１にとりかこまれることによって、島状部５０と呼ばれる部分に形成される。すなわち当該ラムブッシュ３０の内面において、溝部４０、４１を凹とし当該内面である島状部５０を凸とする断面凸凹形状が形成される。
【００２２】
ここで、ラムブッシュ３０における上部開口部３１の口径Ｒ１と下部開口部３２の口径Ｒ１′は、上部開口部３１の口径Ｒ１が下部開口部３２の口径Ｒ１′より若干大きい断面テーパー状を呈していることが好ましい。すなわち、ピストンロッド１７をラムブッシュ３０に挿入した場合に食いつきをよくするためである。またピストンロッド１７をラムブッシュ３０に挿入した場合に、ラムブッシュ３０の下部開口部３２から若干上部に当該ピストンロッド１７の底部１７ａが止まるように前記テーパーを形成していることが好ましい。このようにラムブッシュ３０の内側の断面がテーパー状になることによって、それに接するピストンロッド１７が直接ラム１９に荷重をかけることなくラムブッシュ３０がその荷重を受け持つことでその衝撃を当該島状部５０で軽減することができる。この点について後に述べるラムブッシュ６０についても同様に、ラムブッシュ６０における上部開口部６１の口径Ｒ２と下部開口部６２の口径Ｒ２′は上部開口部６１の口径Ｒ２が下部開口部３２の口径Ｒ２′若干大きい断面テーパー状を呈していることが好ましい。
【００２３】
また、前記複数の溝部４０、４１のうち少なくとも１つ以上をラムブッシュ３０における上部開口部３１から下部開口部３２に向かって平面視時計回りの螺旋状に設け、他の溝部のうち少なくとも１つ以上を平面視半時計回りの螺旋状に設けることで、平面視時計回りの螺旋状の溝部４０と平面視反時計回りの螺旋状の溝部４１で島状部５０を形成したラムブッシュとすることができる。
【００２４】
とくに、上記ラムブッシュにおける上部開口部３１から下部開口部３２に向かって平面視時計回りの螺旋状に設けられた溝部４０を、前記上部開口部３１を平面視円形状と見立てた場合に、その円形状の中心角を約６０度ずつとした場合に分割される当該円形状である前記上部開口部３１の円周上の個所３３から下部開口部３２に向かって平面視時計回りの螺旋状に構成している。更に上記ラムブッシュにおける上部開口部３１から下部開口部に向かって平面視反時計回りの螺旋状に設けられた溝部４１を、前記上部開口部３１を平面視円形状と見立てた場合に、その円形状の中心角を約６０度ずつとした場合に分割される当該円形状である前記上部開口部３１の円周上の個所３４から下部開口部３２に向かって平面視反時計回りの螺旋状に構成している。本実施例では上部開口部３１の個所３３と上部開口部３１の個所３４は同一の個所としているが、上部開口部３１の個所３３と上部開口部３１の個所３４は異なる個所であってもよい。
【００２５】
すなわち、上記ほぼ円筒形状部上部開口部３１の円形状を６分割する個所３３から下部開口部３２に向かって平面視時計回りの螺旋状に溝部４０を設け、また、ほぼ円筒形状部上部開口部３１における円形状を６分割する個所３４から下部開口部３２に向かって平面視反時計回りの螺旋状に溝部４１を設けているので、前記平面視時計回りの螺旋状の溝部４０と平面視反時計回りの螺旋状の溝部４１によって島状部５０が複数形成される。
【００２６】
また他の実施例においては、ラムブッシュにおける複数の溝部は、少なくとも前記ほぼ円筒形のラムブッシュ６０の上部開口部６１から下部開口部６２までほぼ垂直下方に向う縦溝部７０と、前記ほぼ円筒形のラムブッシュの上部開口部とほぼ平行に周回する横溝部８０からなるものである。すなわち、前記縦溝部７０と横溝部８０によって島状部９０が形成される。また、ラムブッシュにおける上部開口部６１と下部開口部６２の口径が同じである場合は前記縦溝部が上部開口部６１から下部開口部６２まで垂直下方に向かい、ラムブッシュにおける上部開口部６１と下部開口部６２の口径は上部開口部６１の口径が若干大きい断面テーパー状を呈している場合は、前記縦溝部７０が上部開口部６１から下部開口部６２までほぼ円筒形状の内面に沿ってほぼ垂直下方に向うことが好ましい。
【００２７】
とくに、ラムブッシュ６０における複数の溝部は、少なくとも前記ほぼ円筒形のラムブッシュの上部開口部６１から下部開口部６２まで前記上部開口部６１を平面視円形状と見立てた場合に、その円形状の中心角を約４５度ずつとした場合に分割される当該円形状である前記上部開口部の円周上の個所６３から下部開口部６２に向かってほぼ垂直下方に向う縦溝部７０と、前記ほぼ円筒形のラムブッシュの上部開口部６１とほぼ平行に周回する横溝部８０からなるものである。従って、前記縦溝部７０と横溝部８０によって島状部９０が形成される。
【００２８】
すなわち、上記ほぼ円筒形の上部開口部６１の円形状を８分割する個所６３から下部開口部６２に向かってほぼ垂直下方に向う８本の縦溝部７０と前記ほぼ円筒形のラムブッシュの上部開口部６１とほぼ平行に周回する横溝部８０からなるものである。尚、前記横溝部８０の数について限定はない。このような縦溝部７０と横溝部８０によって島状部９０が形成される。尚、ラムブッシュ３０、６０の材質はアルミ青銅が好ましいが、銅、アルミニウム、鉄、ステンレスなども使用され得る。
【図面の簡単な説明】
【００２９】
【図１】ラムブッシュの斜視図
【図２】ラムブッシュの平面図
【図３】図２のＩＩＩ−ＩＩＩ線断面図
【図４】他の実施例のラムブッシュの平面図
【図５】図４のＶ−Ｖ線断面図
【図６】ピストンとラムブッシュの組立て図
【図７】エアスタンプハンマーの正面図
【符号の説明】
【００３０】
1、エアスタンプハンマー
１７、ピストンロッド
１７ａ、ピストンロッドの底部
１９、ラム
３０、ラムブッシュ
３１、上部開口部
３２、下部開口部
３３、上部開口部の個所
３４、上部開口部の個所
４０、溝部
４１、溝部
５０、島状部
６０、ラムブッシュ
６１、上部開口部
６２、下部開口部
６３、上部開口部の個所
７０、縦溝部
８０、横溝部
９０、島状部
【図１】
0003155321.tif 000003
【図２】
0003155321.tif 000004
【図３】
0003155321.tif 000005
【図４】
0003155321.tif 000006
【図５】
0003155321.tif 000007
【図６】
0003155321.tif 000008
【図７】
0003155321.tif 000009